(57)【要約】【課題】  焼き飯など多量の炒め物を、焦げ付くことなく連続して製造できるようにする。また、複数の釜を回転基板によって回転することによって、大きなスペースを必要とせず、釜の数を少ない状態で連続して生産効率よく炒め物を製造できる。【解決手段】  炒め物の製造装置は、複数の釜４が取り外し可能に取り付けられ、釜４を水平方向面内で回転させる回転基板６と、釜４の温度を所定温度まで加熱する加熱手段１４と、釜４内に油を充填する油充填手段と、回転基板６に取り付けられた釜内４に食材を投入する食材投入手段８と、釜４内で食材を加熱しながら撹拌する加熱撹拌手段１０と、釜を回転基板６から持ち上げて傾斜した状態で釜４内の炒め物を掻き出す炒め物掻出手段１２と、を具備する。【選択図】  図１
2005027979.tif 000002
【特許請求の範囲】
【請求項１】
複数の釜が取り外し可能に取り付けられ、釜を水平方向面内で回転させる回転基板と、
該釜の温度を所定温度まで加熱する加熱手段と、
該釜内に油を充填する油充填手段と、
該回転基板に取り付けられた該釜内に食材を投入する食材投入手段と、
釜内で食材を加熱しながら撹拌する加熱撹拌手段と、
該釜を該回転基板から持ち上げて傾斜した状態で該釜内の炒め物を掻き出す炒め物掻出手段と、
を具備する炒め物の製造装置。
【請求項２】
釜内の炒め物を掻き出した後、該釜内を撹拌する洗浄前撹拌手段と、
該釜内に洗浄水を供給すると共に、該釜を反転して釜内を洗浄する洗浄手段と、
をさらに具備する請求項１に記載の装置。
【請求項３】
前記加熱手段は、複数並んだ釜に対して、下流側に位置する釜の温度を徐々に上げる手段を有し、該温度上昇手段は、釜温度をセンサーにて測定する手段、および該センサーからの信号に応じて下流側における加熱手段の火力を調整する手段を有する請求項１に記載の装置。
【発明の詳細な説明】
【技術分野】
【０００１】
本発明は、焼き飯、焼きそば、野菜炒め等の炒め物を加熱調理する装置に関し、詳しくはドーナツ状の回転基板に複数の釜を取り付け、該回転基板を水平面内で回転させながら調理することによって、炒め物を連続して製造でき、しかも焦げ付きを無くした炒め物の製造装置に関する。
【背景技術】
【０００２】
撹拌羽根を備えた釜内に、米飯、具材、調味液、水等の食材を投入して、この釜内で食材を加熱撹拌して炒め物を製造するバッチ式の製造装置は、製造毎に、釜内に生じた焦げを除去する必要があるので釜を水洗している。そのため、釜温度が冷却されるので、再び釜温度を所定温度に昇温するために長時間を要し生産性が低下するという欠点がある。
【０００３】
また、釜を加熱するバーナーは、釜の下方位置に配置されており、釜内の食材が焦げ付かないようにバーナーの火力を調整している。例えば、バーナーのノズルの数を多くし、かつ火力を小さくすることによって、ある程度、釜の焦げ付きを抑えることは可能である。しかし、バーナーのノズルの数を多くすると、製作費用およびメンテナンスのための費用が高くつく。また火力の強いバーナーを使用すると、釜底の特定部分が加熱され過ぎるために、焦げの原因となる。
【０００４】
以上のような問題があるので、従来では焼き飯などの炒め物を、焦げ付くことなく、多量に製造する設備は提案されていなかった。
【発明の開示】
【発明が解決しようとする課題】
【０００５】
本発明は上記欠点を解決するものであり、その目的とするところは、焼き飯などの炒め物を、焦げ付くことなく多量に製造することができる炒め物の製造装置を提供することにある。
【課題を解決するための手段】
【０００６】
本発明の炒め物の製造装置は、複数の釜が取り外し可能に取り付けられ、釜を水平方向面内で回転させる回転基板と、該釜の温度を所定温度まで加熱する加熱手段と、該釜内に油を充填する油充填手段と、該回転基板に取り付けられた該釜内に食材を投入する食材投入手段と、釜内で食材を加熱しながら撹拌する加熱撹拌手段と、該釜を該回転基板から持ち上げて傾斜した状態で該釜内の炒め物を掻き出す炒め物掻出手段と、を具備しており、そのことにより上記目的が達成される。
【０００７】
一つの実施形態では、釜内の炒め物を掻き出した後、該釜内を撹拌する洗浄前撹拌手段と、該釜内に洗浄水を供給すると共に、該釜を反転して釜内を洗浄する洗浄手段と、をさらに具備する。
【０００８】
一つの実施形態では、前記加熱手段は、複数並んだ釜に対して、下流側に位置する釜の温度を徐々に上げる手段を有し、該温度上昇手段は、釜温度をセンサーにて測定する手段、および該センサーからの信号に応じて下流側における加熱手段の火力を調整する手段を有する。
【０００９】
以下、本発明の作用を説明する。
【００１０】
本発明の炒め物の製造装置では、回転基板に複数の釜を取り付け、各釜を回転しながら、油充填手段によって該釜内に油を充填し、該釜の温度を所定温度まで加熱し、そして該釜内に食材投入手段によって食材を投入し、加熱撹拌手段によって釜内で食材を加熱しながら撹拌する。炒め物の炒めが十分行われると、炒め物掻出手段によって釜を傾斜して釜内の炒め物を取出す。
【００１１】
このようにして、焼き飯、焼きそば、野菜炒め等の炒め物が連続して加熱調理でき、しかも複数の加熱釜を回転しながら調理できるので、釜の回転速度、加熱温度、撹拌羽根の撹拌速度等を制御することにより、焦げの発生を防止できる。また、洗浄手段によって釜を反転して釜内を洗浄できる。
【００１２】
さらに、回転基板によって複数の釜を回転することによって上記したように炒め物を製造できるので、大きなスペースを必要とせず、また、釜の数を少ない状態で連続して生産効率良く炒め物を製造することができる。
【発明の効果】
【００１３】
本発明によれば、焼き飯など多量の炒め物を、焦げ付くことなく連続して製造することができる。また、複数の釜を回転基板によって回転することによって上記したように炒め物を製造できるので、大きなスペースを必要とせず、また、釜の数を少ない状態で連続して生産効率よく炒め物を製造することができる。また、釜を循環して搬送するなかで、釜の洗浄装置を設けると、釜を昇温するまで待つ必要がないので、生産性がよい。
【発明を実施するための最良の形態】
【００１４】
以下に本発明の実施の形態を具体的に説明する。
【００１５】
図１は本発明の炒め物の製造装置の全体平面図、図２はその装置の縦断面図を示したものである。
【００１６】
本発明の炒め物の製造装置は、多数の釜４が着脱可能に取り付けられ、水平面内で回転するリング状の回転基板６を備えている。この回転基板６には、一定間隔をおいて釜４に対応する孔が複数形成されており、該孔内に釜４を挿入することで釜が回転基板６に取り外し可能に装着される。釜４の搬送は間欠的に行われ、釜４が停止しているときに、以下に詳細に説明する各装置によって釜４が加熱され、釜４内に入れられた食材が加熱撹拌され、調理された炒め物が釜から取り出され、および洗浄されるようになっている。
【００１７】
回転基板６の下面には車輪２２が取り付けられ、回転基板６が車輪２２を介して支持レール２０上に回転可能に支持されている。回転基板６の外周面の外側に駆動手段２４（モータなど）によって回転駆動するスプロケット２６が配設され、回転基板６の外周面に固着されたチェーン２８にスプロケット２６が噛み合い、該スプロケット２６が回転することで回転基板６が図の矢印Ａ方向へ間欠的に回転し、釜４を移動および停止させる。
【００１８】
回転基板６に取り付けられた第１の釜４内へ、炊飯された米飯を供給する米飯供給手段８が回転基板の外側位置に配設され、その米飯供給手段８の回転方向側に、釜４内に卵液を供給し得る卵液供給手段と、釜４内に入れられた米飯、水（または湯、調味液）、その他の具材を混合しながら加熱する撹拌手段１０と、該釜４を回転基板６から取り出して傾斜した状態で該釜４内の炒め物を掻き出す炒め物掻出手段１２と、釜４内の炒め物を掻き出した後、釜４内を撹拌する洗浄前撹拌手段１５と、該釜４内に洗浄水を供給すると共に、該釜４を反転して釜４内を洗い流す洗浄手段１６と、がそれぞれ配設されている。なお、卵液等は、第１の釜４において米飯と共に釜４内へ投入してもよい。
【００１９】
上記食材投入手段８が配置される位置において、食材等が供給搬送される食材搬送コンベア３０が回転基板６の周囲に配置され、また炒め物の掻出手段１２が配置される位置において、炒め物を次工程の包装工程等へ送るための搬送コンベア３２が配置されている。
【００２０】
上記米飯供給手段９、卵液供給手段および撹拌手段１０等が配置されている位置において、釜４の下方位置を加熱するガスバーナーなどの加熱手段１４が配置されている。
【００２１】
加熱手段１４は、図２に示すように、複数のノズルを有するガスバーナー５６で構成されている。このノズルの吐出口は、上記したとおり、隣接する釜４のバーナー５６の幅方向でずれており（オフセットされており）、かりに、バーナー５６からの火力が強い場合でも、釜４を搬送するにともなってそのノズル位置が釜底の異なる位置を加熱するので、釜底の一定位置が加熱され過ぎることはない。つまり、この加熱手段１４のバーナーの位置は、隣接する釜４において、釜４の回転方向でみた場合に異なるように配置されている。隣接する釜４の撹拌領域において、上流側の釜４を加熱するバーナーの位置と、下流側の釜４を加熱するバーナーの位置が異なり、そのことによって釜底の異なる箇所を多数のバーナーによって加熱でき、釜４の加熱された温度分布を極力均一にできる。
【００２２】
また、卵液供給手段、加熱撹拌手段１０および洗浄前撹拌手段１５においては、釜４内を撹拌するための撹拌装置２９が備えられている。この撹拌装置２９は、釜４内に配置される羽根を有し、羽根は上下駆動可能とされている。
【００２３】
本発明で使用する釜４は、上方が開放する釜本体４４と、該釜本体４４の側壁より外側へ突出したフランジ４１とを有する。図５に示すように、該釜本体４４の側壁に、釜４の傾斜中心位置において第１の係合部４５が形成され、中心位置から外れた位置において第２の係合部４６が形成されている。
【００２４】
以下に、各装置について順次説明する。
【００２５】
米飯供給手段８は、炊飯された米飯を連続炊飯装置（図示せず）から搬送コンベア３０により釜４内へ供給する手段であり、所定時間間隔で間欠的に回転基板６に設置された釜４内へ所定量の炊飯が供給される。
【００２６】
卵液供給手段は、卵液タンクからポンプおよび輸送ライン（図示せず）を介して釜４内へ卵液を供給する手段である。この卵液供給手段においては、撹拌装置２９が備えられており、釜４内の炊飯内へ卵液が投入されると撹拌装置２９によって炊飯と卵液とが撹拌される。この卵液供給手段は、上記したように、釜４内へ炊飯とともに供給してもよいし、後工程の釜４内へ供給するようにしてもよい。
【００２７】
加熱撹拌手段１０は、複数の撹拌装置２９を有し、釜４内に入れられた米飯、卵液、水（または湯、調味液等）、その他の具材を撹拌しながら加熱する。本装置では、回転基板６の半径方向中心側に撹拌装置２９が設置されている。
【００２８】
焼き飯の掻出手段１２では、釜４を傾斜装置３４によって傾斜して、釜４内の焼き飯を掻き出す。掻き出し位置には、釜４より掻き出された焼き飯を次工程（例えば、包装工程）へ搬送するための搬送コンベア３２が配置されている。
【００２９】
図３〜図５に示すように、該傾斜装置３４は、釜４の両側部の外側に配置される上下回動可能なアーム３８と、該アーム３８の先端部に回動可能に取り付けられ、釜の両側部に取り外し可能に取り付けられる着脱手段３９と、該アーム３８に取り付けられ該着脱手段３９の回動状態を制御可能なシリンダー等の駆動手段７５と、アーム３８を上下回動させる駆動部４８とを有する。
【００３０】
該駆動手段７５はアーム３８に回動可能に取り付けられた第１のシリンダーで構成されている。該着脱手段３９は、第１のシリンダー７５の伸縮ロッドの先端部に回動可能に取り付けられたブラケット３１と、該ブラケット３１に釜方向へ移動可能に接続されたスライドピン９１，９２と、を有する。
【００３１】
図５および６に示すように、該ブラケット３１は、水平片３１１と上片３１２とを有する略Ｌ字形に形成されている。該ブラケット３１の上片３１２に、前記第１のシリンダー７５のロッド先端部が回動可能に連結されている。ブラケット３１の水平片３１１に、第１のスライドピン９１と、第２のスライドピン９２が釜４の側璧に向けて突出没入可能に取り付けられている。第１のスライドピン９１の先端部に、釜４の第１係合部４５に係合可能な第１の被係合部７７が形成され、第２のスライドピン９２の先端部に、該釜４の第２係合部４６に係合可能な第２の被係合部７８が形成されている。
【００３２】
第１のスライドピン９１は、アーム３８に固定した筒状ボス９３内にスライド可能に挿入されている。第２のスライドピン９２は、ブラケット３１に固定した案内部材９４内にスライド可能に挿入されている。
【００３３】
該第１のスライドピン９１と第２のスライドピン９２の先端部間に連結部材９５が連結されている。この連結部材９５とブラケット３１との間に、連結部材９５を釜４方向へ移動可能な第２のシリンダー８２が設けられている。
【００３４】
釜４を傾斜する場合には、アーム３８を下降して釜４の両側に配置し、第２のシリンダー８２を駆動させることでスライドピン９１，９２を釜４側へ突出させて、その先端の第１および第２被係合部７７，７８を釜４の第１および第２係合部４５，４６に係合させる。
【００３５】
次いで、アーム３８を上動させ、アーム３８を所定角度（約６０〜約９０度）まで上動させながら第１のシリンダー７５を伸長駆動させて釜４をほぼ水平状態に維持する。アーム３８が所定角度を超えて上動したとき、該第１のシリンダー７５を収縮駆動させて、ブラケット３１を第１スライドピン９１を中心として回転させることにより釜４を傾斜させる。このようにアーム３８の駆動と第１のシリンダー７５の駆動とが連係され、制御装置（図示せず）によって制御される。
【００３６】
釜が所定角度に傾斜したとき、釜内の炒め物を搬送コンベア上へ掻き出すための掻出手段１２が、取り出し位置に配置されている。この掻出手段１２は、上下揺動可能なアーム５２と、該アーム５２の先端部に回転可能に取り付けられた撹拌羽根５４とを備え、やや弾性を有する撹拌羽根５４の先端部を釜４内壁に沿わせて回転させることにより釜４内の炒め物を掻き出して搬送コンベア３２上へ落下させる。釜４から落下した炒め物は、搬送コンベア３２によって包装工程等へ搬送される。
【００３７】
なお、釜４の形状としては、炒め物がコンベア側へ落下し易いように、コンベア側の釜壁面がやや外側へ開くように傾斜を緩くして掻き出し口を設けてもよい。また、上記アーム３８又はシリンダー７５を往復駆動させることで釜４に振動を与えて、炒め物の落下および掻き出しを促進するようにしてもよい。
【００３８】
洗浄前撹拌手段１５では、撹拌装置によって釜４内に残っている炒め物を撹拌することで釜４の底や壁面等に付着した炒め物を落とすようにする。
【００３９】
洗浄手段１６では、釜４に湯（あるいは水）を供給すると共に、釜４を傾斜又は反転させることにより釜４内を洗浄する。この反転装置は、釜４を反転させること以外は、上記した炒め物の掻出手段１２で使用したものと類似のものを使用できる。釜４から落下した水等は、排水装置へ送られる。
【００４０】
なお、上記実施形態では、第１のシリンダー７５をブラケット３１に対してアーム３８の基部側に設けたが、第１のシリンダー７５をアーム３８先端側に設けてもよく、この場合、第１のシリンダー７５の伸縮操作が上記とは逆になる。また、ブラケット３１を水平片とこの水平片から下方へ突出する下片とを有する逆Ｌ字形に形成してもよく、この場合も第１のシリンダー７５の伸縮操作が上記とは逆になる。第１および第２のシリンダーは、空気または油圧シリンダー等で構成でき、またモータによって駆動させてもよい。
【００４１】
加熱領域２３では、各釜４の温度を測定するセンサーと、該センサーからの信号に基づいて各釜４の下方に設置されたガスバーナー１５の火力を調節する制御手段と、を有し、油充填手段における釜４の温度が所定温度となるように、温調するものである。
【００４２】
油充填手段は、油タンクと、ポンプ等の油充填機（図示せず）とを有し、所定温度に加熱された釜４内に油を充填する。
【図面の簡単な説明】
【００４３】
【図１】本発明の炒め物の製造装置の一実施例の平面図である。
【図２】図１に示した製造装置の縦断面図である。
【図３】図１に示した製造装置の炒め物の掻出手段の説明図である。
【図４】図３で示す傾斜装置の炒め物の掻出手段部分の平面図である。
【図５】図３で示す炒め物の掻出手段の要部拡大図である。
【図６】図３で示す炒め物の掻出手段の要部概略図である。
【図７】洗浄手段の縦断面図である。
【符号の説明】
【００４４】
４    釜
６    回転基板
８    食材投入手段
１０  加熱撹拌手段
１２  炒め物掻出手段
１４  加熱手段
１６  洗浄手段
【図１】
2005027979.tif 000003
【図２】
2005027979.tif 000004
【図３】
2005027979.tif 000005
【図４】
2005027979.tif 000006
【図５】
2005027979.tif 000007
【図６】
2005027979.tif 000008
【図７】
2005027979.tif 000009